(57)【特許請求の範囲】
【請求項１】
多様なリング（１）により形成される男性のマスターベーション用装置であって、前記リング（１）は、前記リング（１）間の連結手段を備え、それにより前記マスターベーション用装置の外面をなす管状本体（４）を形成し、前記リングはそれぞれ、特定の構造を有する別の内側部分を有し、前記内側部分は、マスターベーション行為を行うために陰茎が挿入される開口部（８）又は空間を形成するために接合される、男性のマスターベーション用装置。
【請求項２】
前記リングの各内側部分は、外側の前記リング（１）に挿入されて保持手段により取り付けられる追加部品（５ａ、５ｂ、５ｃ、５ｄ、５ｄ’、５ｅ）により形成される、請求項１に記載の男性のマスターベーション用装置。
【請求項３】
前記管状本体（４）は前記リング（１）の連結により形成され、前記管状本体（４）の一方の端部はドーム形状部品（９）により閉じられ、前記ドーム形状部品（９）は、前記リング（１）間の連結手段に適合する同一の連結手段を備える、請求項１に記載の男性のマスターベーション用装置。
【請求項４】
前記リング（１）を取り付ける前記連結手段は、前記リング（１）の一方の側に設けられたリブ（２）を有し、前記リブ（２）は前記リングの他方の側に設けられた溝（３）と組み合わされ、前記リブ及び前記溝（２、３）は互いに符合しており、これにより第１の前記リング（１）の前記リブが第２の前記リング（１）の前記溝（３）に差し込み可能である、請求項１に記載の男性のマスターベーション用装置。
【請求項５】
前記リング（１）の一方の側に設けられた前記リブ（２）は、最初に直線部（１７）を備えて円形部（１８）で終わる部分を提供し、一方で前記リング（１）の他方の側に設けられた周縁の前記溝（３）は、最初に直線部（１９）を備えて円形部（２０）で終わる部分を提供する、請求項１又は４に記載の男性のマスターベーション用装置。
【請求項６】
前記リング（１）を取り付ける前記連結手段は、前記リング（１）の一方の側に設けられた雄ねじと、前記リング（１）の他方の側に設けられた雌ねじとを含み、第１の前記リング（１）の前記雄ねじを第２の前記リング（１）の前記雌ねじにねじ込み可能である、請求項１に記載の男性のマスターベーション用装置。
【請求項７】
前記ドーム形状部品（９）は、その下方部分（１０）に溝を備える、請求項１又は３に記載の男性のマスターベーション用装置。
【請求項８】
前記ドーム形状部品の下方部分（１０）に配置された溝（１０）は、最初に直線部（１１）を備えて円形部（１２）で終わる、請求項１、３又は７に記載の男性のマスターベーション用装置。
【請求項９】
前記マスターベーション用装置は密閉する蓋（１３）を含み、前記蓋はその上側部分に周縁リブ（１４）を備える、請求項１又は４に記載の男性のマスターベーション用装置。
【請求項１０】
前記周縁リブ（１４）は、閉鎖用の前記蓋（１３）上に位置し、最初に直線部（１５）を備えて円形部（１６）で終わり、前記リング（１）の周縁の前記溝（３）との連結が可能である、請求項１、４、５又は９に記載の男性のマスターベーション用装置。
【発明の詳細な説明】
【技術分野】
【０００１】
本発明の目的は、本願の発明の名称に記載されるように、男性のマスターベーション用装置に関する。これは、陰茎がその内部に挿入される開口部を備えた長い本体を有する性具である。この装置は、異なる位置に配置される一群の組み立て要素を含み、それが装置に長い形状を与える。
【０００２】
本発明の目的は、ユーザが装置をユーザの感覚及び好みに適合させ、個人的に変更することによって快楽感覚を向上させ、そしてこの適合をユーザ自身で行うことである。
【背景技術】
【０００３】
女性及び男性のマスターベーションは、快楽を得ることを目的とした、絶頂に達する可能性のある生殖器の刺激として説明される。マスターベーションは、一般的には自慰行為として理解されるが、同じ目的で他の人の生殖器に向けて行われる場合もあり得る。
【０００４】
男性のマスターベーションは、手で又は摩擦を生じる適切な物体を用いて行われることが多く、これらの物体は、興奮に達することを補助する性具として知られている。
【０００５】
詳しくは、これらのタイプの性具は、陰茎が挿入される開口部を備えた形状又は形態であり、それらの内側に、刺激となる様々な性的技法を真似た構造を有する。
【０００６】
これらの装置の使用のためには潤滑ゲルが推奨され、そして必要とされる。これは、挿入を補助し、内部形状との摩擦を強め、絶頂及び射精が最終目標である。
【０００７】
使用後、この性具は、あらゆる残留物を除去するために徹底的に洗浄されなければならない。
【０００８】
このような装置は、主に特許文献１〜３により知られている。これらの装置は、陰茎が挿入される開口部を備えた本体又は形状によって形成され、そして毎使用後に洗浄することができ、それにより再利用可能であるマスタベーション用装置として記載されている。
【０００９】
あるいは、１回限りの使用のマスタベーション用装置が、製品の衛生的特徴を高め、その後の洗浄作業を回避する目的で開発されている。この後者のタイプの例としては、特許文献４〜６である。
【先行技術文献】
【特許文献】
【００１０】
【特許文献１】スペイン国特許第２１０７０５４号明細書
【特許文献２】欧州特許出願公開第２１６８５００号明細書
【特許文献３】米国特許出願公開第２００６／０２６４８５６号明細書
【特許文献４】欧州特許出願公開第１８９１９２３号明細書
【特許文献５】欧州特許出願公開第１８９７５１９号明細書
【特許文献６】特開２００６−３４０８７１号公報
【発明の概要】
【発明が解決しようとする課題】
【００１１】
現在の装置は、陰茎が挿入される開口部の内部構造／配置の変更が可能でなく、従って各モデルは、形態的内部構造に依存して異なる感覚をもたらすだけである。これをユーザの好み及び身体的特徴に対応させるならば、ユーザの感覚及び寸法に関してほぼ適したものになるであろう。
【課題を解決するための手段】
【００１２】
男性用のこの新しいマスタベーション用装置は、独創的かつ簡単な方法で上記の課題を解決し、ユーザが、開口部の構成及び開口部の内部構造、並びに長さ及び幅寸法を選択して変更することを可能にする。これらの全てが、再使用できる、メンテナンスが容易で低価格な装置によって可能である。
【００１３】
この新しいマスタベーション用装置は、複数のリングで作られ、これらのリングが互いに連結する機構を備えて管状本体を形成する。管状本体は、主として円形であるが、外形デザインのニーズに応じて多角形にすることもできる。
【００１４】
それぞれのリングは内部構造を提供し、内部構造は、異なるリングの連結により、性交を行うために陰茎が挿入される開口部又は空間を形成する。
【００１５】
異なるリング配置が、開口部の多数の異なる構造を可能にする。同時に、選択されるリングの量及び内径が、ユーザに自身のニーズ及び適切な寸法に装置を適合させる選択をもたらす。
【００１６】
マスターベーション用装置の内部構造をユーザの好みに従って変更できることにより、もはや更新可能なキットになり、このタイプの製品を市場に出すことで、最終目的に寄与する新たな要素を組み込むことができるという新しい機会が開かれる。
【００１７】
同時に、装置の内部構造の厚さ及び内径を変更できることが、エンドユーザへの全体的な適合を、より容易にする。
【００１８】
好ましい実施形態では、各リングの内側部分は、固定又は着脱可能な保持方法で外側のリングに適用される追加の部品によって作られる。この好ましい構造は、内側のリングの質感及び硬度が、外側のリング内面の質感及び硬度とは完全に異なることを可能にする。こうして、装置の外側は硬質かつ頑丈に、一方で内部は柔軟かつ弾性にすることが可能である。
【００１９】
外側のリングは、構造要素として硬質又は半硬質にされる。あるいは、外側のリングは、手で圧力を加え、それにより陰茎で同じ圧力を感じることを目的として、柔軟であってもよい。同時に、外側のリングの可撓性は、装置が湾曲又は屈曲されて、例えば回転又はツイスト運動などの様々な自由な動きをすることを可能にする。
【００２０】
リング間の連結により形成された管状本体は、一方の端部において、リング同士を取り付ける連結手段と同じ連結手段に適合したドーム状部品によって閉じられる。
【００２１】
別の好ましい実施形態では、装置は、その保護のために閉鎖蓋を含む。
【００２２】
この新しい構成の別の利点は、新たな付属部品、例えば振動装置、真空／吸引装置、締付装置、及び自動放出される潤滑剤貯蔵装置などの追加ができることである。
【００２３】
装置の多用途性及び多様である構造による上記の利点に加えて、使用後に全体的に洗浄できることにより、メンテナンスが容易である。これは、内部構造に容易にアクセスするためにリングを分離できるので、可能である。同時に、内部へのこの完全なアクセスは、ユーザが材料の状態を検査し、何か怪我をさせるかも知れない裂け目が僅かでも生じている場合には事前に気づくことを可能にする。このような場合、損傷したリングを交換することができ、装置全体を廃棄しないという別の利点がある。
【００２４】
リングの取付手段は、機械的なタイプである。好ましい実施形態において、これらの手段は、リブを一方の側に有し、溝を他方の側に有した蟻継ぎにより取り付けられる。溝とリブとは、第１のリングのリブが第２のリングの溝に差し込まれることができ、堅固な接続をもたらすがリング間の回転を可能にする方法で組み合わせられる。
【００２５】
別の好ましい実施形態において、取付手段は、リングの一方の側に雄ねじがあり、その反対側に雌ねじがあるねじ機構で構成される。上記の好ましい実施形態と同一の方法において、リング間の接合が、第１のリングの雄要素と第２のリングの雄要素との連結により行われる。
【００２６】
上述されていないリング間のその他のいずれかの取付手段、例えばバヨネット式、引っ掛け（カギ、フックなど）、マグネットなども考えられる。
【図面の簡単な説明】
【００２７】
【図１】新しいマスタベーション用装置の断面図である。
【図２】図１と同一断面での分解図である。
【図３】溝を備えたドームの詳細図である。
【図４】リングの詳細図である。
【図５】リブを備えた蓋の詳細図である。
【発明を実施するための形態】
【００２８】
本願に含まれる図面において、本願の目的である装置の実施例を詳しく説明する。
【００２９】
この新しい男性のマスタベーション用装置は、図面にて説明されるように、頑丈な硬質又は半硬質の多様なリング（１）によって作られており、これらのリングは、リングの一方の側に設けられた周縁リブ（２）と、リングの他方の側に設けられた周縁溝（３）とを備えている。
【００３０】
溝部及びリブ部は、一方のリングのリブが他方のリングの溝に差し込まれることができ、堅固な接合をもたらすが、回転性を維持して接続する。詳しくは、各周縁リブ（２）は、最初に直線部（１７）を提供して円形端部（１８）を備え、一方で周縁溝は、最初に直線部（１９）を提供して円形端部（２０）を備える。この構成は、異なるリング間におけるリブと溝との連結及び保持を可能にする。
【００３１】
このリブ（２）と溝（３）とが、円形部を有した管状本体を作るために、リング（１）間の連結を形成する。
【００３２】
それぞれのリング（１）は、柔軟かつ弾性の追加部品（５）によって形成された部分を提供し、追加部品（５）は、外側のリング（１）内に挿入され、着脱可能な保持手段を有する。この手段は、追加部品（５）の外面にある２つの周縁リブ（６）と、外側のリング（１）の内面にある２つの周縁溝（７）とによって形成される。溝（７）及びリブ（６）の断面及び位置は一致しており、追加部品（５）が外側のリング（１）内に差し込まれた時に、これが安定した位置で取り付けられるようになっている。
【００３３】
それぞれの追加部品（５）の内側部分は、特定の構造を提供する。詳しくは、図示されている例は４つの異なるモデル（５ａ）（５ｂ）（５ｃ）（５ｄ）を示しており、これら
のうちの１つを、２つの位置（５ｄ）及び（５ｄ’）に配置することができる。
【００３４】
対応する挿入される追加部品（５）を備えた異なる外側のリング（１）を連結することにより、開口部（８）が形成される。この開口部は、マスターベンション行為を行うために陰茎が挿入される場所である。
【００３５】
円形部を有した管状本体（４）は、一方の端部でドーム形状部品（９）により閉じられ、このドーム形状部品は、その下側に溝（１０）を備えており、その溝は最初に直線部（１１）を備えることができ、それは円形部（１２）で終わる。溝のこの構成が、リングの周縁リブ（２）との連結を可能にする。
【００３６】
最後に、この装置は、保護のための閉鎖蓋（１３）を含む。この蓋の上側に周縁リブ（１４）が備えられ、周縁リブ（１４）は最初に直線部（１５）を備えることができ、それは円形部（１６）で終わる。リブのこの構成が、リング（１）の周縁溝（３）との連結を可能にする。
【符号の説明】
【００３７】
１  リング
２  リブ
３  溝
４  管状本体
５  追加部品
５ａ  追加部品
５ｂ  追加部品
５ｃ  追加部品
５ｄ  追加部品
５ｄ’  追加部品
５ｅ  追加部品
６  周縁リブ
７  周縁溝
８  開口部
９  ドーム状部品
１１  直線部
１２  円形部
１３  閉鎖蓋
１４  周縁リブ
１６  円形部
１７  直線部
１８  円形端部
１９  直線部
２０  円形端部
【図１】
0005865395.tif 000002
【図２】
0005865395.tif 000003
【図３】
0005865395.tif 000004
【図４】
0005865395.tif 000005
【図５】
0005865395.tif 000006